(57)【要約】      （修正有）【課題】人体特に乳房の柔らかな曲面に無理なく圧力が加わり、長時間使用にも痛みが生じないようにしたブラジャーを提供する。【解決手段】一対のカップ、フロント布、サイド布、バック布、ストラップなどから構成され前記カップの少なくとも脇側寄りのサイド布との縫合せ部分に紐状テープを配設したことを特徴としている。本ブラジャーは、女性の柔らかな曲面にソフトに沿った装着を可能にして本来の形に補正して要求されるホルムを醸し出すことが出来るものである。【選択図】図１
0003162398.tif 000002
【実用新案登録請求の範囲】
【請求項１】
一対のカップ、フロント布、サイド布、バック布、ストラップなどからなり、前記カップの少なくともサイド布との縫合部分側に紐状テープを配設したことを特徴としたブラジャー装置。
【請求項２】
一対のカップ、フロント布、サイド布、バック布、ストラップなどからなり、前記カップの少なくともサイド布との縫合部分側に伸縮性、可撓性を備え僅かな肉厚を有する紐状テープを止め布等の縫合により取り付けたことを特徴としたブラジャー装置。
【考案の詳細な説明】
【技術分野】
【０００１】  本考案は人体特に乳房の柔らかな曲面に無理なく圧力が加わり、長時間使用にも痛みが生じないようにしたブラジャー装置に関する。
【背景技術】
【０００２】  従来から知られている一般的なブラジャーは、女性の胸のシルエットを美しく醸し出すためにブラジャーのカップの下縁に円弧状をした金属などのワイヤーを埋め込み、これにより乳房を持ち上げることが行われている。多くの使用があり、先行文献も数多く存在しており、その一例として特開平９−１５７９１１が挙げられる。【０００３】  金属ワイヤーを使用したブラジャーは、その使用性を考慮して材料、形状などを研究して数多くの発明を創出している。
【考案の開示】
【考案が解決しようとする課題】
【０００４】  上記従来技術のブラジャーは人体に装着したとき、立体曲面をもつ女性の乳房を保持するには添いにくくまた、部分的に圧力が加わったり乳房を無理やりに持ち上げることにより長時間使用には痛みを生じることがあった。【０００５】  本考案はこのような課題を解決し、女性の体の丸みに適合した無理の無いブラジャーに関するもので、特に長時間の使用にも影響しないように開発したものである。
【課題を解決するための手段】
【０００６】  本考案は一対のカップ、フロント布、サイド布、バック布、ストラップなどからなり、前記カップの少なくともサイド布との縫合部分側に紐状テープを配設したことを特徴としている。【０００７】  更に、前記紐状テープは伸縮性、可撓性を備え、僅かな肉厚を有し、止め布等の縫合により取り付けたことを特徴としている。【０００８】  本考案は、一対のカップの夫々に少なくともサイド部分即ち脇側に偏して紐状のテープを位置させたものである。【０００９】  本考案は、一対のカップの両サイドから夫々のカップの下に連続して設けることにより、単一の紐状テープを利用するものである。
【考案の効果】
【００１０】  本考案のブラジャー装置は、一対のカップの夫々に少なくとも脇部側に位置して紐状のテープを設けたものであって、女性の柔らかな曲面にソフトに沿った装着を可能にして本来の形に補正して要求されるホルムを醸し出すことが出来るものである。【００１１】  本考案のブラジャー装置は、一対のカップの夫々に少なくとも脇部分即ちカップのサイド布との縫合部分側に紐状テープを設けたので、乳房を安定してソフトに補形保持を行うことができる。【００１２】  本発明のブラジャー装置は、同じ方式により用いられた金属材あるいは樹脂材によって埋め込まれたワイヤーによる部分的な圧力などによる痛みを招くことなく長時間の使用による弊害をなくすることが出来る。
【考案を実施するための最良の形態】
【００１３】  本考案のブラジャー装置を、図１乃至図９に基づいて説明する。
図１は本考案を実施したブラジャーの要部を示す斜面図で紐状テープが脇部側に設けられた図、図２は同じく紐状テープが脇部側にあって、更にサイド布とバック布との縫い合わせ部分に一本の紐状テープを設けた図、図３は図２と同じくサイド布とバック布の縫い合わせ部分に２本の紐状テープを設けた図、図４は左右のカップ部が繋がり両者の下辺部分に連続して紐状テープを設けた図、図５は左右のカップ部が繋がり下辺部表面にレースで紐状テープを縫合止着した図、図６は左右のカップが独立しており、両者の下辺部の夫々紐状テープを設けた図、図７はブラジャーの表面に紐状テープを配しレースにより被覆して止着した図、図８は図２の要部断面図、図９は図３の要部断面図、図１０は図７の要部断面図である。【００１４】  本考案は、左右一対のカップ１、１と、これらカップの外側即ち人体の脇部側に位置するサイド布２，２と、更にこのサイド布を延設してバック布３，３と、前記サイド布の上方の設けたストラップ４，４と、前記カップ１，１の下方のフロント布５とより構成してなり、前記夫々のカップ１、１は上カップ布６，６と、下カップ布７，７より縫い合わされて膨らみをもって作られている。またバック布３，３はその先端に契合部（図示しない）が設けられている。【００１５】  前記カップ１，１の夫々には脇部側のサイド布２，２との縫い合わせ部分に位置して紐状テープ８を配置して定着するように縫い合わせる。【００１６】  前記紐状テープ８は繊維材料例えばニット、織物などよりなり、紐、テープなどの僅かな肉厚を有し、それ自身可撓性、伸縮性を備えている。【００１７】  前記紐状テープ８は図１乃至図３に示す通り脇部側に位置し、カップ１，１とサイド布２，２との縫い合わせ部にて縫合定着する。【００１８】  前記紐状テープ８は図４乃至図７に示す通りカップ１，１の下辺部全域に配置し、図４、５のように左右連続するか、或いは図６，７のように左右独立したカップの場合にはその中間で非連続にしても良い。【００１９】  前記紐状テープ８は、図８のようにサイド布２、カップ布１と重ね更にカップ布１の内側に止め布９にてそれらを止め糸１０にて縫い合わす。サイド布２とバック布３との縫い合わせ部分にはい１本の紐状テープ８を配置する。【００２０】  図９の実施例は、紐状テープ８をサイド布２、に挟み、内側はカップ布１、止め布９を当てて縫い合わし、外側は２本の紐状テープ８，８を配置している。【００２１】  図１０は、ブラジャーの前面においてレース布１１を当てて止め糸１０にて縫い合わす。
【図面の簡単な説明】
【００２２】
【図１】  本考案によるブラジャー装置の要部を示す斜面図
【図２】  図１に相当する他の実施例の斜面図
【図３】  図２に相当する他の実施例の斜面図
【図４】  本考案による紐状テープを左右カップの下辺全体に亘り配置した要部斜視図
【図５】  図４に相当する他の実施例を示す斜面図
【図６】  図５に相当する他の実施例を示す斜面図
【図７】  図６に相当する他の実施例を示す斜面図
【図８】  図２の要部断面図
【図９】  図３の要部断面図
【図１０】  図７の要部断面図
【符号の説明】
【００２３】  １    カップ
２    サイド布
３    バック布
４    ストラップ
５    フロント布
６    上カップ
７    下カップ
８    紐状テープ
９    止め布
１０  止め糸
１１  レース布
【図１】
0003162398.tif 000003
【図２】
0003162398.tif 000004
【図３】
0003162398.tif 000005
【図４】
0003162398.tif 000006
【図５】
0003162398.tif 000007
【図６】
0003162398.tif 000008
【図７】
0003162398.tif 000009
【図８】
0003162398.tif 000010
【図９】
0003162398.tif 000011
【図１０】
0003162398.tif 000012